(57)【要約】  【課題】指先が多少不自由であったり、握力が弱いなどの高齢者であっても、容易に着用が可能なパンツ型使い捨ておむつを提供する。  【解決手段】製品状態で、前身頃Ｆと後身頃Ｂとが側部で接合されることにより、ウエスト開口部と左右一対のレッグ開口部とが形成されるとともに、前身頃Ｆ及び後身頃Ｂに夫々上下方向に間隔をおいて水平方向に沿って配置された複数の腰回り弾性伸縮部材２５，２５…を有するパンツ型使い捨ておむつ１Ａにおいて、前記前身頃Ｆのほぼ中央、若しくは前身頃両側部の少なくとも一方側であって、かつ前記腰回り弾性伸縮部材２５，２５間に水平方向に延びるスリット孔２７を形成する。【選択図】図１
2006204697.tif 000002
【特許請求の範囲】
【請求項１】
製品状態で、前身頃と後身頃とが側部で接合されることにより、ウエスト開口部と左右一対のレッグ開口部とが形成されたパンツ型使い捨ておむつにおいて、
前記前身頃のほぼ中央、若しくは前身頃両側部の少なくとも一方側に、水平方向に延びるスリット孔を形成したことを特徴とするパンツ型使い捨ておむつ。
【請求項２】
製品状態で、前身頃と後身頃とが側部で接合されることにより、ウエスト開口部と左右一対のレッグ開口部とが形成されるとともに、前身頃及び後身頃に夫々上下方向に間隔をおいて水平方向に沿って配置された複数の腰回り弾性伸縮部材を有するパンツ型使い捨ておむつにおいて、
前記前身頃のほぼ中央、若しくは前身頃両側部の少なくとも一方側であって、前記腰回り弾性伸縮部材間に水平方向に延びるスリット孔を形成したことを特徴とするパンツ型使い捨ておむつ。
【請求項３】
吸収体を含む吸収性本体と、この吸収性本体の外面側に一体的に設けられた外装シートとからなり、製品状態で前記外装シートの前身頃と後身頃とが両側部において接合されることによりウエスト開口部及び左右一対のレッグ開口部が形成されたパンツ型使い捨ておむつにおいて、
前記外装シートは、前記ウエスト開口部回りに配置されたウエスト部弾性伸縮部材と、前身頃及び後身頃に上下方向に間隔をおいて水平方向に沿って配置された複数の腰回り弾性伸縮部材群と、前身頃及び後身頃の少なくとも一方側において、前身頃と後身頃とを接合する一方側接合縁から股下側に延び、その股下部を迂回するようにして他方側接合縁に到達する複数本の湾曲弾性伸縮部材群とを備えるとともに、該湾曲弾性伸縮部材群は、前記外装シートの縁部と、前記吸収性本体と、前記腰回り弾性伸縮部材群とに囲まれる当該外装シートの領域全体をほぼ覆うように形成され、
かつ前記前身頃両側部の少なくとも一方側であって、かつ前記腰回り弾性伸縮部材の間であるとともに、前記湾曲弾性伸縮部材の間に、水平方向に延びるスリット孔を形成したことを特徴とするパンツ型使い捨ておむつ。
【請求項４】
前記湾曲弾性伸縮部材群は、後身頃に設けられている請求項３記載のパンツ型使い捨ておむつ。
【請求項５】
前記湾曲弾性伸縮部材群は、前身頃及び後身頃にそれぞれ設けられている請求項３記載のパンツ型使い捨ておむつ。
【請求項６】
矩形状をなす不透液性のバックシートと、前記バックシートの略中央に配された吸収体と、前記吸収体の上面に配された透液性のトップシートとを備え、
前記バックシートの長手方向中央部を幅方向に沿って前記トップシート側に二つ折りに折り返されて形成された折り返し部と、前記バックシートの長手側端部同士が接合された接合部と、前記バックシートの長手方向両端部に形成され、装着時に人体の腰回りに位置する腰回り開口部と、前記折り返し部に前記吸収体を挟んで形成され、装着時に人体の脚回りに位置する二つの脚回り開口部とを備え、かつ前記前身頃のほぼ中央、若しくは前記前身頃両側部の少なくとも一方側に、水平方向に延びるスリット孔を形成したことを特徴とするパンツ型使い捨ておむつ。
【請求項７】
前記バックシートの長手方向中央部近傍に、当該バックシートの幅方向に伸縮可能な弾性部材が配されたことを特徴とする請求項６記載のパンツ型使い捨ておむつ。
【請求項８】
前記バックシートの長手方向両端部近傍に、当該バックシートの幅方向に伸縮可能な弾性部材が配されたことを特徴とする請求項６又は７記載のパンツ型使い捨ておむつ。
【請求項９】
前記スリット孔の周囲に着色を施してある請求項１〜８いずれかに記載のパンツ型使い捨ておむつ。
【請求項１０】
前記スリット孔の長手寸法は３０〜１００mmとされる請求項１〜９いずれかに記載のパンツ型使い捨ておむつ。
【発明の詳細な説明】
【技術分野】
【０００１】
本発明は、指先が多少不自由であったり、握力が弱いなどの高齢者であっても、容易に着用が可能なパンツ型使い捨ておむつに関する。
【背景技術】
【０００２】
従来より、おむつ離れを促進する、或いはその都度止着テープを用いての装着作業から大人を解放し、装着を簡便化するなどの目的のために、パンツ型使い捨て紙おむつがテープ型使い捨て紙おむつと共に市場に提供されている。
【０００３】
このパンツタイプの紙おむつは、たとえば図１７に示されるように、ポリエチレンなどからなる不透液性バックシート５０上に、前部と後部の腰回り部分に弾性伸縮部材５１，５２を配設するとともに、一方の脚回りの前身頃Ｆ端から製品紙おむつの下部を巡って他方の脚回りの前身頃Ｆ端に連続した第１弾性伸縮部材５３と、一方の脚回りの後身頃Ｂ端から製品紙おむつの股下部分を巡って他方の脚回りの後身頃Ｂ端に連続した第２弾性伸縮部材５４を配設し、この不透液性バックシート５０上に吸収体５５を配置し、さらにこの上に透液性トップシート５６を重ね、予め砂時計状に形成されたものを前後方向に折り畳み、図１８に示されるように、折り畳んだ両側縁部分をシール溶着または超音波溶着法により接合することにより、ウエスト開口部と左右一対のレッグ開口部とが形成されたパンツ型使い捨ておむつとしたものである。
【０００４】
かかるパンツ型使い捨ておむつの装着は、ウエスト開口部の縁を手で把持し、足をレッグ開口部に通した後、そのまま腰部まで引き上げ着用するようにしている。
【０００５】
しかしながら、指先が多少不自由であったり、握力が弱くなった高齢者の場合には、ウエスト開口縁をうまく把持することができず、紙おむつを腰部まで引き上げるのに苦労することがあった。
【０００６】
このような問題点に鑑み、下記特許文献１では、表面シートと、裏面シートと、これら両シートの間に配置された吸収体とを有し、前後身頃の相対する両縁部を接合してパンツ型に成形し、前記前身頃の少なくとも一方の腰回り部における裏面シート表面に、上部が固定され、下部側が自由縁とされる帯状シートがおむつの幅方向に配置されているパンツ型使い捨ておむつが開示されている。かかる使い捨ておむつの場合は、指先を前記帯状シートに引っ掛けることにより、指先が不自由であっても、簡便におむつを腰部まで引き上げ可能としている。
【特許文献１】特開２００１−１７８７７２号公報
【発明の開示】
【発明が解決しようとする課題】
【０００７】
しかしながら、上記特許文献１記載のパンツ型使い捨ておむつの場合は、前記帯状シートに指を引っ掛けることができても、上方に引上げた際に、帯状シートがめくれ上がることがあるため、帯状シートの自由縁部を掴まないと、うまく引上げできず、やはり一人では着用がしづらいなどの問題があった。
【０００８】
そこで本発明の主たる課題は、指先が多少不自由であったり、握力が弱いなどの高齢者であっても、容易に着用が可能なパンツ型使い捨ておむつを提供することにある。
【課題を解決するための手段】
【０００９】
前記課題を解決するために請求項１に係る本発明として、製品状態で、前身頃と後身頃とが側部で接合されることにより、ウエスト開口部と左右一対のレッグ開口部とが形成されたパンツ型使い捨ておむつにおいて、
前記前身頃のほぼ中央、若しくは前身頃両側部の少なくとも一方側に、水平方向に延びるスリット孔を形成したことを特徴とするパンツ型使い捨ておむつが提供される。
【００１０】
上記請求項１記載の本発明においては、前身頃のほぼ中央、若しくは前も頃両側部の少なくとも一方側に、水平方向に延びるスリット孔を形成するようにした。従って、着用者は、ウエスト開口部を把持することなく、前記スリット孔に指先を挿入したならば、そのまま上方に引上げることにより、簡便におむつを着用できるようになる。なお、前記スリット孔の形成位置を特に、前身頃側部とした場合には、前身頃と後身頃とのシール接合縁に近接することになるため、スリット孔端部からの破れを効果的に防止できるようになる。
【００１１】
請求項２に係る本発明として、製品状態で、前身頃と後身頃とが側部で接合されることにより、ウエスト開口部と左右一対のレッグ開口部とが形成されるとともに、前身頃及び後身頃に夫々上下方向に間隔をおいて水平方向に沿って配置された複数の腰回り弾性伸縮部材を有するパンツ型使い捨ておむつにおいて、
前記前身頃のほぼ中央、若しくは前身頃両側部の少なくとも一方側であって、前記腰回り弾性伸縮部材間に水平方向に延びるスリット孔を形成したことを特徴とするパンツ型使い捨ておむつが提供される。
【００１２】
上記請求項２記載の本発明においては、前身頃のほぼ中央、若しくは前身頃両側部の少なくとも一方側であって、前記腰回り弾性伸縮部材間に水平方向に延びるスリット孔を形成するようにしたものである。従って、前記腰回り弾性伸縮部材群によるシャーリング機能を損なうことなく、スリット孔を形成することができる。
【００１３】
請求項３に係る本発明として、吸収体を含む吸収性本体と、この吸収性本体の外面側に一体的に設けられた外装シートとからなり、製品状態で前記外装シートの前身頃と後身頃とが両側部において接合されることによりウエスト開口部及び左右一対のレッグ開口部が形成されたパンツ型使い捨ておむつにおいて、
前記外装シートは、前記ウエスト開口部回りに配置されたウエスト部弾性伸縮部材と、前身頃及び後身頃に上下方向に間隔をおいて水平方向に沿って配置された複数の腰回り弾性伸縮部材群と、前身頃及び後身頃の少なくとも一方側において、前身頃と後身頃とを接合する一方側接合縁から股下側に延び、その股下部を迂回するようにして他方側接合縁に到達する複数本の湾曲弾性伸縮部材群とを備えるとともに、該湾曲弾性伸縮部材群は、前記外装シートの縁部と、前記吸収性本体と、前記腰回り弾性伸縮部材群とに囲まれる当該外装シートの領域全体をほぼ覆うように形成され、
かつ前記前身頃両側部の少なくとも一方側であって、かつ前記腰回り弾性伸縮部材の間であるとともに、前記湾曲弾性伸縮部材の間に、水平方向に延びるスリット孔を形成したことを特徴とするパンツ型使い捨ておむつが提供される。
【００１４】
上記請求項３記載の本発明においては、前身頃両側部の少なくとも一方側であって、かつ前記腰回り弾性伸縮部材の間であるとともに、前記湾曲弾性伸縮部材の間に、水平方向に延びるスリット孔を形成するようにしたものである。従って、前記腰回り弾性伸縮部材群によるシャーリング機能および前記湾曲弾性伸縮部材群によるシャーリング機能を損なわずに、前記スリット孔を形成することができる。
【００１５】
ところで、パンツ型使い捨ておむつの着用者は、高齢者であることや、疾病や傷害などの影響により体力が低下するなどして、腕力が弱かったり、腕が背中側や臀部側に十分にまわらなかったりする場合がある。そして、そのような着用者が紙おむつを使用する際に、紙おむつの前身頃側や脇部側を掴んで引き上げるようにして腰回りに着用しなければならないことがあるが、従来のおむつの場合、図１２に示すように、おむつの後身頃のウエスト部が臀部の膨らみに引っ掛かり、十分に引き上げられず、おむつが不完全な状態で着用されてしまうことがあった。そして、おむつの着用が不完全な状態であり、腰回りにフィットしていないことによって、尿などの体液漏れの原因となってしまうことがあった。
【００１６】
そこで、本請求項３のパンツ型使い捨ておむつにおいては、前記外装シートは前身頃及び後身頃の少なくとも一方側において、前身頃と後身頃とを接合する一方側接合縁から股下側に延び、その股下部を迂回して他方側接合縁に到達するとともに、互いに交差することなく間隔をおいて配置された複数本の湾曲弾性伸縮部材群を備えているため、おむつのずり落ちを防止するとともに、ショーツやブリーフのように身体のラインに沿わせて密着させることができる。
【００１７】
加えて、特に前記湾曲弾性伸縮部材群は、前記外装シートの側縁と、前記吸収性本体と、前記腰回り弾性伸縮部材群とに囲まれる当該外装シートの領域全体をほぼ覆うように形成されているので、その外装シートの領域全体が、ほぼ均一に湾曲弾性伸縮部材群により収縮されることとなり、従来のようにその領域の内側が膨らんでしまい、ポケット様の空間が形成されてしまうことはない。このように、パンツ型使い捨ておむつ（外装シート）の内側に着用の妨げになるポケット様の空間が無ければ、着用者がパンツ型使い捨ておむつを脱ぎ履きする際に、その内側に足指や踵が引っ掛かりにくくなるので、パンツ型使い捨ておむつの外装シートを着用し易くなる。
【００１８】
請求項４に係る本発明として、前記湾曲弾性伸縮部材群は、後身頃に設けられている請求項３記載のパンツ型使い捨ておむつが提供される。
【００１９】
上記請求項４記載の本発明によれば、請求項３記載の発明と同様の効果を有するとともに、特に、湾曲弾性伸縮部材群は後身頃に備えられているので、例えばおむつの着用者が片手でおむつを引き上げるような場合でも、前身頃に作用した作用力が接合端部を介して後身頃の湾曲弾性伸縮部材に伝わり、後身頃が好適に臀部を覆うように引き上げることができ、おむつを腰回りに良好に着用することができる。
【００２０】
つまり、湾曲弾性伸縮部材は、股下部側を迂回するように湾曲しているため、後身頃の湾曲弾性伸縮部材に伝わった作用力は、おむつの後身頃を下側から引き上げるように作用するので、おむつの着用者が、腕力が弱かったり、腕が背中側や臀部側に十分にまわらなかったりする状態であっても、スリット孔に指を差し込んで引き上げるようにすることによって、後身頃が臀部を覆うように引き上げることができ、おむつを好適に着用することができる。
【００２１】
請求項５に係る本発明として、前記湾曲弾性伸縮部材群は、前身頃及び後身頃にそれぞれ設けられている請求項３記載のパンツ型使い捨ておむつが提供される。
【００２２】
上記請求項５記載の発明によれば、請求項３に記載の発明と同様の効果を有するとともに、特に、湾曲弾性伸縮部材群は、前身頃及び後身頃に備えられているので、パンツ型使い捨ておむつ（外装シート）の内側における着用の妨げになるポケット様の空間が前身頃と後身頃からともに無くなる。よって、着用者がパンツ型使い捨ておむつを脱ぎ穿きをする際に、その内側に足指や踵が引っ掛かりにくくなるので、パンツ型使い捨ておむつをより着用し易くなる。
【００２３】
また、湾曲弾性伸縮部材群は、股下部に迂回するように湾曲しているため、おむつを引き上げる作用力が湾曲弾性伸縮部材に伝わると、おむつを下側から持ち上げるように作用するので、おむつの着用者が、腕力が弱かったり、腕が背中側や臀部側に十分にまわらなかったりする状態であっても、おむつを腰回りにフィットするように引き上げることができ、おむつを好適に着用することができる。
【００２４】
請求項６に係る本発明として、矩形状をなす不透液性のバックシートと、前記バックシートの略中央に配された吸収体と、前記吸収体の上面に配された透液性のトップシートとを備え、
前記バックシートの長手方向中央部を幅方向に沿って前記トップシート側に二つ折りに折り返されて形成された折り返し部と、前記バックシートの長手側端部同士が接合された接合部と、前記バックシートの長手方向両端部に形成され、装着時に人体の腰回りに位置する腰回り開口部と、前記折り返し部に前記吸収体を挟んで形成され、装着時に人体の脚回りに位置する二つの脚回り開口部とを備え、かつ前記前身頃のほぼ中央、若しくは前身頃両側部の少なくとも一方側に、水平方向に延びるスリット孔を形成したことを特徴とするパンツ型使い捨ておむつが提供される。
【００２５】
上記請求項６記載の発明によれば、請求項１記載の発明と同様の効果を得ることができる。また、おむつは腰回り開口部の真下に脚回り開口部を形成することが出来るとともに、吸収性物品の成形に必要な接合箇所を二箇所の接合部のみとすることが出来る。
【００２６】
これにより、脚回り開口部が、腰回り開口部に対して真下に位置することとなり、脚を通し易くすることが出来、履き易いだけでなく、履かせ易さを実現することが可能となる。その上、バックシートの長手方向側端部同士を二箇所で接合するだけで吸収性物品を成形することが可能になり、曲線領域を接着したり、複数のパーツを別々に成形して接着するなどの煩雑な製造工程を踏むことなく、容易におむつを製造することが出来る。
【００２７】
請求項７に係る本発明として、前記バックシートの長手方向中央部近傍に、当該バックシートの幅方向に伸縮可能な弾性部材が配されたことを特徴とする請求項６記載のパンツ型使い捨ておむつが提供される。
【００２８】
上記請求項７記載の発明においては、脚回り部に弾性部材を配することにより、請求項６に記載の発明の効果が得られるのは当然のこと、脚回り部が装着者の脚に密着してなることとなり、フィット感を向上させるのみならず、脚回り開口部からのモレを防ぐことが出来る。
【００２９】
請求項８に係る本発明として、前記バックシートの長手方向両端部近傍に、当該バックシートの幅方向に伸縮可能な弾性部材が配されたことを特徴とする請求項６又は７記載のパンツ型使い捨ておむつが提供される。
【００３０】
上記請求項８記載の発明においては、腰回り部に弾性部材を配することにより、請求項６又は７記載の発明の効果が得られるのは当然のこと、腰回り部が装着者の腰回りに密着してなることとなり、フィット感を向上させるのみならず、腰回り開口部からのモレを防ぐことが出来る。
【００３１】
請求項９に係る本発明として、前記スリット孔の周囲に着色を施してある請求項１〜８いずれかに記載のパンツ型使い捨ておむつが提供される。
【００３２】
上記請求項９記載の本発明においては、前記スリット孔の周囲に着色を施し一目でスリット孔の位置を把握できるようにしたものである。従って、視力に多少の障害があっても、容易にスリット孔の位置を確認することができ、指先を容易に前記スリット孔に挿入することができる。
【００３３】
請求項１０に係る本発明として、前記スリット孔の長手寸法は３０〜１００mmとされる請求項１〜９いずれかに記載のパンツ型使い捨ておむつが提供される。
【００３４】
上記請求項１０記載の本発明においては、前記スリット孔の長手寸法を３０〜１００mmとするものである。スリット孔の長手寸法が３０mm未満の場合は、親指を容易に挿入しづらくなる。また、１００mmの寸法があれば親指を除く４本の指を挿入するのに十分であり、かつ必要以上に長くするとフィット性が損なわれるため、スリット孔の長手寸法は３０〜１００mmの寸法で形成するのが望ましい。
【発明の効果】
【００３５】
以上詳説のとおり本発明によれば、指先が多少不自由であったり、握力が弱いなどの高齢者であっても、パンツ型使い捨ておむつを容易に着用することが可能となる。
【発明を実施するための最良の形態】
【００３６】
以下、本発明の実施の形態について図面を参照しながら詳述する。
【００３７】
《第１形態例》
図１は本第１形態例に係るパンツ型使い捨ておむつ１Ａの製品状態を示す斜視図であり、図２は一部破断展開図である。
【００３８】
図１および図２に示されるように、本パンツ型紙おむつ１Ａは、不織布などからなる透液性トップシート１１と、ポリエチレン等からなる防水フィルム１２とにより、綿状パルプなどからなる吸収体本体１３を含む構造の吸収性本体１０の外面側に外装シート２０が一体的に設けられた構造の紙おむつである。
【００３９】
前記吸収体本体１３は、図示例では略砂時計状を成し、クレープ紙によって囲繞され、全体として変形が可能な半剛性の性質を有するもので、内部には粉状の高分子吸収ポリマーが含有されている。
【００４０】
この吸収体本体１３の上面に対して、透液性トップシート１１がほぼ全面においてホットメルト接着剤により固定され、吸収体本体１３の下面に対して防水フィルム１２が同じくホットメルト接着剤により固定され、吸収性本体１０が構成されている。前記吸収性本体１０の表面両側部にはギャザーシートによって立体ギャザーＢ、Ｂが設けられている。
【００４１】
前記吸収性本体１０に対しては、その外面側に一体的に外装シート２０が設けられている。この外装シート２０は、図２にも示されるように、上層不織布２０Ａ及び下層不織布２０Ｂからなる２層構造の不織布シートとされ、前記上層不織布２０Ａと下層不織布２０Ｂとの間に各種弾性伸縮部材が配設され、伸縮性が付与されている。平面形状は、中間両側部に夫々脚部開口を形成するために形成された凹状の脚回りカットライン２９により、全体として擬似砂時計形状を成している。
【００４２】
具体的には、図１に示される展開形状において、前身頃Ｆの開口部および後身頃Ｂの開口部において、たとえば帯ゴムなどからなる、図示例では各８本のウエスト部弾性伸縮部材２４…、２４…がそれぞれ設けられている。
【００４３】
また、前身頃Ｆにおいては水平方向に沿って、例えば糸ゴムからなる複数本の、図示の例では５本の腰回り弾性伸縮部材２５，２５…が設けられているとともに、後身頃Ｂにおいても水平方向に沿ってたとえば糸ゴムからなる複数本の、図示の例では５本の腰回り弾性伸縮部材２５，２５…が設けられている。
【００４４】
一方、脚回り部位には、脚開口部に沿って１本または複数本の、図示の例では３本の脚回り弾性伸縮部材３０…，３１…が設けられている。これら脚回り弾性伸縮部材の配設態様としては、種々の形態が考えられるが、図示される配置態様は股間部において前記脚回り弾性伸縮部材が吸収体１３を横断して配設されている配置態様である。具体的には、一方の脚回りの前身頃Ｆ端側から股間部を巡って他方の脚回りの前身頃Ｆ端側に連続して配設された１または複数の、図示例では３本の脚回り第１弾性伸縮部材３０，３０…と、一方の脚回りの後身頃Ｂ端側から股間部を巡って他方の脚回りの後身頃Ｂ端に連続して配設された１または複数の、図示例では３本の脚回り第２弾性伸縮部材３１，３１…とから構成されている。
【００４５】
前記弾性伸縮部材２４，２５，３０，３１としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００４６】
前記紙おむつは、図２に示されるように、略中央の折り畳みラインＬにて前身頃Ｆと後身頃Ｂを重ね合わせ、その両側縁部を熱シール、超音波溶接法等の溶着方法にて接合することによって、製品状態でウエスト開口部と左右一対のレッグ開口部が形成されたパンツ型に成形される。
【００４７】
図１及び図２に示されるように、かかるパンツ型使い捨ておむつ１Ａに対して本発明では、指先が多少不自由であったり、握力が弱いなどの高齢者であっても、容易に着用が可能なように、前身頃Ｆのほぼ中央部であって、かつ前記腰回り弾性伸縮部材２５，２５の間に、水平方向に延びるスリット孔２７を形成する。このスリット孔２７は前記外装シート２０を貫通するように形成されるもので、前身頃Ｆに形成することにより、本紙おむつ１Ａの着用に際して、前記レッグ開口部に左右の足を挿通した後、指先を前記スリット孔２７に挿入して引っ掛けた後、そのままおむつ１Ａを上方に引上げることができる。なお、前記スリット孔２７を後身頃Ｂに形成した場合には、視認しづらい、手が届きづらいなどの問題が生じ、着用時の利便性が損なわれる結果となる。
【００４８】
前記スリット孔２７は、前記腰回り弾性伸縮部材２５，２５の方向に沿って形成することにより、腰回り弾性伸縮部材２５，２５による伸縮力が水平方向に作用するようになり、装着状態では大きな開口が形成されることが無く、閉じた状態か、僅かに上下方向に開いた状態となるため、肌が外部に大きく露出することがなく、冷えなどの２次障害を引き起こす事がない。
【００４９】
前記スリット孔２７の長手寸法Ｂは、３０〜１００mm、好ましくは３０〜４０mmまたは８０〜１００mmとされる。例えば、前記スリット孔２７に親指を挿入させようとした場合には、３０〜４０mm程度とし親指を挿入し易くするのが望ましく、また親指を除く４本の指を挿入させるようにした場合には、８０〜１００mmの寸法とするのが望ましい。
【００５０】
また、前記スリット孔２７の周囲に対して着色を施し、一目でスリット孔２７の位置を確認し易いようにすれば、弱視などの視覚障害を持つ高齢者であっても容易にスリット孔２７の位置を確認できるようになる。
【００５１】
前記スリット孔２７は、前身頃Ｆのほぼ中央に形成する以外に、図３に示されるように、前身頃Ｆの両側部に形成するようにしても良いし、図４に示されるように、前身頃Ｆの片がわ側部に形成するようにしてもよい。スリット孔２７を側部近傍に形成することにより、前身頃Ｆと後身頃Ｂとのシール接合縁に近接することになるため、スリット孔２７端部からの破れを効果的に防止できるようになる。
【００５２】
《第２形態例》
次いで、おむつ構造の異なるパンツ型使い捨ておむつ１Ｂに対して、本発明を適用した場合の例について、図５〜図１０に基づいて詳述する。
【００５３】
図５は本第２形態例に係るパンツ型使い捨て紙おむつ１Ｂの製品状態外観図であり、図６は展開状態での組み立て図である。
【００５４】
図５及び図６に示されるように、本パンツ型使い捨て紙おむつ１Ｂ（以下、単に紙おむつという。）は、不織布などからなる透液性表面シート１１と、ポリエチレン等からなる防漏シート１２との間に、綿状パルプなどの吸収体１３を介在させた吸収性本体１０と、この吸収性本体１０の外面側に一体的設けられた外装シート２０とからなり、製品状態で前記外装シート２０の前身頃Ｆと後身頃Ｂとが両側部において接合されることによりウエスト開口部及び左右一対のレッグ開口部が形成された構造のパンツ型紙おむつである。
【００５５】
以下、前記吸収性本体１０、外装シート２０、およびその組立構造の順で説明する。
【００５６】
（吸収性本体１０の構造）
先ず最初に、吸収性本体１０の構造の一例について図７及び図８に基づいて詳述する。
【００５７】
吸収性本体１０は、前述したように、不織布などからなる透液性表面シート１１と、ポリエチレン等からなる防漏シート１２との間に、綿状パルプなどの吸収体１３を介在させた構造とされ、体液を吸収保持するものである。
【００５８】
前記吸収体１３は、図示例では平面形状を略砂時計状として成形されたものが使用され、股下部では吸収体の幅寸法を狭めることにより股間部への当たりを弱くし着用者にゴワ付き感を与えないようにしている。この吸収体１３は、形状保持と透液性表面シート１１を透過した体液の拡散性向上のためにクレープ紙１４によって囲繞されている。なお、前記吸収体１３としては、嵩を小さくできるエアレイド吸収体を用いるのが望ましい。
【００５９】
前記吸収体１３の表面側（肌当接面側）を覆う透液性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性表面シート１１に多数の透孔を形成した場合には、尿などが速やかに吸収されるようになり、ドライタッチ性に優れたものとなる。前記透液性表面シート１１は、吸収体１３の側縁部を巻き込んで吸収体１３の裏面側まで延在している。
【００６０】
前記吸収体１３の裏面側（非肌当接面側）を覆う防漏シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００６１】
一方、立体ギャザーＢＳを形成するギャザー不織布１５は、図８に示されるように、折返しによって二重シートとした不織布が用いられ、前記透液性表面シート１１によって巻き込まれた吸収体１３の側縁部をさらにその上側から巻き込んで吸収体１３の裏面側まで延在して接着されている。より具体的には、前記ギャザー不織布１５は、紙おむつの長手方向中間部では、立体ギャザーＢＳ形成部分を残し、幅方向中間部から吸収体１３の裏面側に亘る範囲がホットメルト接着剤等によって接着され、また長手方向前後端部では、前記幅方向中間部から一方側端縁までの区間が吸収体１３の裏面側に亘る範囲で接着されるとともに、前記立体ギャザーＢＳを形成する部分を吸収体１３の上面部にて折り畳むようにしながらホットメルト接着剤等により接着している。
【００６２】
前記二重シート不織布によって形成されたギャザー不織布１５の内部には、起立先端側部分に複数本の糸状弾性伸縮部材１６、１６…が配設されている。前記糸状弾性伸縮部材１６、１６…は、製品状態において図８(B)に示されるように、弾性伸縮力により吸収体側縁部より突出する不織布部分を起立させて立体ギャザーＢＳを形成するためのものである。
【００６３】
前記防漏シート１２は、前記二重シート状のギャザー不織布１５の内部まで進入し、図８に示されるように、立体ギャザーＢＳの下端側において防漏壁を構成するようになっている。かかる防漏シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００６４】
前記糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５dtex以下、テンションは１５０〜３５０％、間隔は７．０mm以下として配設するのがよい。なお、糸状弾性伸縮部材に代えて、ある程度の幅を有するテープ状弾性伸縮部材を用いるようにしてもよい。
【００６５】
前述のギャザー不織布１５を構成する素材繊維も前記透液性表面シート１１と同様に、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらに前記ギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００６６】
（外装シート２０の構造）
外装シート２０は、図９に示されるように、上層不織布２０Ａ及び下層不織布２０Ｂからなる２層構造の不織布シートとされ、前記上層不織布２０Ａと下層不織布２０Ｂとの間に各種弾性伸縮部材が配設され、伸縮性が付与されている。平面形状は、中間両側部に夫々脚部開口を形成するために形成された凹状の脚回りカットライン２９により、全体として擬似砂時計形状を成している。
【００６７】
本発明に係る外装シート２０においては、前記弾性伸縮部材として、同図９に示される展開形状において、前記ウエスト開口部回り２３に配置されたウエスト部弾性伸縮部材２４，２４…と、前身頃Ｆ及び後身頃Ｂに、上下方向に間隔をおいて水平方向に沿って配置された複数の腰回り弾性伸縮部材群２５，２５…とを有するとともに、前身頃Ｆ及び後身頃Ｂのそれぞれにおいて、前記腰回り弾性伸縮部材群２５，２５…とは別に、前身頃Ｆと後身頃Ｂとを接合する一方側接合縁から股下側に延び、股下側の吸収性本体１０を横断して前身頃と後身頃との他方側接合縁に到達するとともに、互いに交差することなく間隔をおいて配置された複数本の湾曲弾性伸縮部材群２６…、２８…を備えるものである。なお、本外装シート２０では、前記脚回りカットライン２９に沿って実質的に連続する、第１形態例で示したような脚回り弾性伸縮部材は設けられていない。
【００６８】
以下、前記各種弾性伸縮部材毎に詳述する。
【００６９】
前記ウエスト部弾性伸縮部材２４，２４…は、前身頃Ｆと後身頃Ｂとが接合された脇部接合縁２１、２２の範囲の内、ウエスト開口縁近傍に上下方向に間隔をおいて配設された複数条の糸ゴム状弾性伸縮部材であり、身体のウエスト部回りを締め付けるように伸縮力を与えることにより紙おむつを身体に装着するためのものである。このウエスト部弾性伸縮部材２４は、図示例では糸ゴムを用いたが、例えばテープ状の伸縮部材を用いてもよい。
【００７０】
前記腰回り弾性伸縮部材群２５，２５…は、脇部接合縁２１、２２の内、概ね上部から下部までの範囲に亘り、上下方向に間隔をおいて水平方向に沿って配設された糸ゴム状の弾性伸縮部材であり、前身頃Ｆ及び後身頃Ｂの腰回り部分に夫々水平方向の伸縮力を与え、紙おむつを身体に密着させるためのものである。なお、前記ウエスト部弾性伸縮部材２４、２４…と腰回り弾性伸縮部材群２５、２５…との境界は必ずしも明確でなくてよい。例えば、前身頃Ｆ及び後身頃Ｂに上下方向に間隔をおいて水平方向に配置された弾性伸縮部材の内、数は特定できなくても、上部側の何本かがウエスト部弾性伸縮部材として機能し、残りの弾性伸縮部材が腰回り弾性伸縮部材として機能していればよい。
【００７１】
前記後身頃Ｂにおいて、前記腰回り弾性伸縮部材群２５，２５…とは別に配設された背側湾曲弾性伸縮部材群２６、２６…は、一方側の脇部接合縁２２からほぼ脚回りカットライン２９に沿うように股下部に延び、前記吸収性本体１０上を横断して反対側の脚回りカットライン２９にほぼ沿いながら他方側の脇部接合縁２２に到達するように配置された複数本、図示例では９本の糸ゴム状弾性伸縮部材であり、これら背側湾曲弾性伸縮部材群２６、２６…は互いに交差することなく、間隔をおいて配置されている。
【００７２】
前記背側湾曲弾性伸縮部材群２６、２６…は、従来の脚回り弾性伸縮部材（第１形態例参照）とは配置態様が異なるものである。すなわち、２，３本程度の弾性伸縮部材を間隔を密にして実質的に一束として配置されるのではなく、所定の伸縮ゾーンを形成するように所定の間隔を空けて、５本以上、好ましくは７本以上配置され、前記外装シート２０の側縁と、前記吸収性本体１０と、前記腰回り弾性伸縮部材群２５，２５…とに囲まれる当該外装シート２０の略三角形領域Ｔrb全体をほぼ覆うように形成されている。従って、前記略三角形領域Ｔrbでは、ほぼ均一にそれぞれ背側弾性伸縮部材２６，２６…により収縮されることになるので、略三角形領域Ｔrbの内側が膨らんでしまい、ポケット様の空間が形成されてしまうことはない。おむつ（外装シート）の内側に着用の妨げになるポケット様の空間が無ければ、着用者がパンツ型使い捨ておむつを脱ぎ履きする際に、その内側に足指や踵が引っ掛かりにくくなるので、パンツ型使い捨ておむつの外装シートを着用し易くなる。また、外装シート２０における前記略三角形領域Ｔrbは、湾曲弾性伸縮部材２６，２６…により覆われて収縮されているので、身体の凹凸や膨らみなどの形状に対応して、外装シート２０をフィットさせるように伸縮することができる。つまり、おむつ１の後身頃Ｂ側においては、身体の臀部に外装シート２０を密着させることができるようになる。
【００７３】
また、前記背側湾曲弾性伸縮部材群２６，２６…の始終端は、前身頃Ｆと後身頃Ｂとの接合縁のほぼ上部から下部の範囲に亘り所定の間隔で接続され、前記吸収性本体１０の側縁との交差部において、前記背側湾曲弾性伸縮部材群２６，２６…と吸収性本体１０側縁との鋭角側交差角αは３５°以上、好ましくは４０°以上、より好ましくは４５°以上となる配置パターンで配置されている。因みに図示例では、交差角αが４７°前後となるように配置されている。前記交差角αは、水平方向分力と鉛直方向分力のバランスから、大きくとも６０°以下とするのが望ましい。
【００７４】
本紙おむつ１Ｂでは、後身頃Ｂにおいて、臀部の膨らみ形状に対応して外装シート２０をフィットさせるために、臀部の膨らみに対し極力沿う方向に伸縮力を作用させるべく、相対的に緩い傾斜角度で弾性伸縮部材群２６，２６…を配置するようにしたものであり、図示例のように、交差角α＝４７°で伸縮部材２６、２６…が配置されているとすると、与えた伸縮力の７３％を水平方向分力として作用させることができるようになり、臀部を包み込むように外装シート２０を身体に密着させることができるようになる。その結果、吸収性本体１０を中央側に縮こまらせることがなくなるとともに、確実に身体に密着させることにより漏れ防止効果が高まるようになる。
【００７５】
他方、前記外装シート２０の前身頃において、前記腰回り弾性伸縮部材群２５，２５…とは別に配設された腹側湾曲弾性伸縮部材群２８，２８…も、一方側の脇部接合縁２１から脚回りカットライン２９に沿うように股下部に延び、吸収性本体１０上を横断して反対側の脚回りカットライン２９に沿いながら他方側の脇部接合縁２１に到達するとともに、交差することなく間隔をおいて配置された複数本の、図示例では８本の糸状弾性伸縮部材である。
【００７６】
この腹側湾曲弾性伸縮部材群２８、２８…も、従来の脚回り弾性伸縮部材とは配置態様が異なるものである。すなわち、２，３本程度の弾性伸縮部材を間隔を密にして実質的に一束として配置されるのではなく、所定の伸縮ゾーンを形成するように所定の間隔を空けて、５本以上、好ましくは７本以上配置され、前記外装シート２０の側縁と、前記吸収性本体１０と、前記腰回り弾性伸縮部材群２５，２５…とに囲まれる当該外装シート２０の略三角形領域Ｔrf全体をほぼ覆うように形成されている。これによる効果は先に述べたとおりである。
【００７７】
この腹側弾性伸縮部材群２８，２８…の始終端も、前身頃Ｆと後身頃Ｂとの脇部接合縁２１，２１のほぼ上部から下部の範囲に亘り、所定の間隔で接続され、前記吸収性本体１０の側縁との交差部において、前記腹側湾曲弾性伸縮部材群２８，２８…と吸収性本体１０側縁との鋭角側交差角θが３０°以下、好ましくは２８°以下となる配置パターンで配置されている。因みに、図示例では交差角θが２６°前後となるように配置されている。前記交差角θは、水平方向分力と鉛直方向分力のバランスから、少なくとも２０°以上とするのが望ましい。
【００７８】
本紙おむつ１においては、身体の前側部分には身体の後側臀部のような引掛かりとなる膨らみがないため、紙おむつのずり落ちは主として前身頃側Ｆで顕著に発生する傾向にあるとの知見に鑑み、相対的にきつい傾斜角度で弾性伸縮部材群２８，２８…を配置するようにしたものであり、図示例のように、交差角θ＝２６°で伸縮部材２８、２８…が配置されているとすると、与えた伸縮力の９０％を上方向分力として作用させることができ、紙おむつのずり落ちを効果的に防止できるようになる。
【００７９】
図５及び図９に示されるように、かかるパンツ型使い捨ておむつ１Ｂに対して本発明では、指先が多少不自由であったり、握力が弱いなどの高齢者であっても、容易に着用が可能なように、前身頃Ｆの両脇部であって、かつ前記腰回り弾性伸縮部材２５，２５の間であるとともに、前記腹側湾曲弾性伸縮部材２８，２８の間に、水平方向に延びるスリット孔２７、２７を形成する。かかるスリット孔２７の作用効果は前記第１形態例と同様であるが、本形態例では前記腰回り弾性伸縮部材２５，２５によるシャーリング効果（フィット効果）と、前記腹側湾曲伸縮部材２８，２８によるシャーリング効果（フィット効果）とを損なわないように、これら弾性伸縮部材２５…、２８…の間に前記スリット孔２７が形成される。
【００８０】
なお、本第２形態例では、前身頃Ｆの両側部に夫々スリット孔２７，２７を形成するようにしたが、どちらか一方に形成してもよい。或いは、前記第１形態例における図２の態様と同様に、前身頃Ｆのほぼ中央部であって、かつ前記腰回り弾性伸縮部材２５，２５の間に、水平方向に延びるスリット孔２７を形成するようにしてもよい。
【００８１】
ところで、上記第２形態例に係る使い捨ておむつ１Ｂにおいては、吸収体１３の縮こまりを防止するために、図１０に示されるように、前記腹側湾曲弾性伸縮部材２８，２８…及び背側湾曲弾性伸縮部材群２６，２６…を前記吸収性本体１０上において切断し不連続としてもよい。
【００８２】
本第２形態例に係るおむつ１Ｂでは、更に前記湾曲弾性伸縮部材２６…、２８…を配設することによって、高齢者のように腕力が弱い着用者であっても、好適におむつを着用できるようになる。すなわち、湾曲弾性伸縮部材２６…と、湾曲弾性伸縮部材２８との始終端部は、腰回り弾性伸縮部材２５…が配設されている前身頃Ｆの脇部接合縁２１と後身頃Ｂの脇部接合縁２２の巾方向の幅方向とほぼ同じ範囲に配設されているので、着用者がおむつ１を着用する際に、前身頃Ｆや後身頃Ｂを引き上げる際の作用力が湾曲弾性伸縮部材２６…、２８…に伝わり、股下部を容易に引き上げることができ、おむつ１Ｂの股下部を身体の股下周囲に好適に装着することができる。特に、湾曲弾性伸縮部材２６…、２８…は、幅広く弾性部材が配設されている帯状の領域を形成していることにより、前身頃Ｆや後身頃Ｂを引き上げる際の作用力が湾曲弾性伸縮部材２６…や湾曲弾性伸縮部材２８…に伝わりやすいので、より軽い力でもおむつ１Ｂを引き上げることができる。よって、高齢者のように腕力が弱い着用者であっても、好適におむつを着用できるようになる。
【００８３】
また、前身頃Ｆと後身頃Ｂとは接合縁部２１，２２により接合されていることによって、前身頃Ｆに作用した作用力が後身頃Ｂを介して湾曲弾性伸縮部材２６…に伝わり、後身頃Ｂに作用した作用力が前身頃Ｆを介して湾曲弾性伸縮部材２８…に伝わるようになっている。そして、例えば着用者が片手で前身頃Ｆに形成されたスリット孔に指先を引っ掛けて、おむつ１Ｂを引き上げるような場合でも、図１１に示すように、前身頃Ｆに作用した作用力が接合縁部２１，２２を介して後身頃Ｂの湾曲弾性伸縮部材２６に伝わり、後身頃Ｂが好適に臀部を覆うように引き上げることができ、おむつ１Ｂを腰回りに良好に着用することができるようになっている。特に、湾曲弾性伸縮部材２６…は、股下部側を湾曲しているため、股下部側の吸収性本体１０を臀部側に引き上げるように、より確実に臀部に密着させて、尿などの体液漏れを防止することが可能になる。
【００８４】
また、おむつ１Ｂは、腰回りにフィットするように引き上げ易いので、不完全な状態で着用されてしまうことを低減することができ、それによって、体液漏れや、装着感の悪さや装着時の見た目の悪さ、身体が圧迫されたことなどによる血流障害や、身体が擦られたことなどによる肌荒れなどのスキントラブル等の問題を軽減することができる。このように、おむつ１Ｂは、好適に着用することができる。なお、おむつ１Ｂにおいて、前身頃Ｆに配設される湾曲弾性伸縮部材２８…と、後身頃Ｂに配設される湾曲弾性伸縮部材２６…とを共に備えることに本発明は限定されず、少なくとも一方の湾曲弾性伸縮部材２６…，２８…が備えられる構成であればよい。
【００８５】
《第３形態例》
図１３は、第３形態例に係るパンツ型使い捨ておむつ１Ｃの斜視図である。図１４は第3形態例に係るパンツ型使い捨ておむつ１Ｃの組立て構成を説明するための説明図である。
【００８６】
図１３及び図１４に示すように、パンツ型使い捨ておむつ（以下、おむつと言う）１Ｃは、紙おむつ１Ｃ装着時に外側に接する面側に位置し、不透液性のバックシート３２を構成する第一の外面シート３２ａと、同じくバックシート３２を構成し、第一の外面シート３２ａと反対側の面であって、紙おむつ１Ｃ装着時に人体に接する面側に位置する第二の外面シート３２ｂと、紙おむつ１Ｃ装着時に、体液が排出される面に接する位置に設けられた透液性のトップシート３３と、トップシート３３によって包装された吸収体３４からなり、矩形状であるバックシート３２の長手方向中央部を吸収体３４が内側に位置するように幅方向に沿って折り返すことによって形成された、折り返し部３５と、一箇所の腰回り開口部３６、二箇所の脚回り開口部３７、３７及び接合部３８、３８を有する。
【００８７】
バックシート３２を構成する第一の外面シート３２ａと第二の外面シート３２ｂは、吸収体３４等で吸収した体液を下着にもたらさないためのシートであり、不透液性を有する素材を用いる。
【００８８】
例えば不透液性シートとしては、ポリエチレン等の少なくとも遮水性を有するシート材であり、ムレ防止の観点から透湿性を有するシート材であることが好ましい。この遮水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
【００８９】
第一の外面シート３２ａと第二の外面シート３２ｂとの間には、弾性部材３９，４０が挟み込まれている。弾性部材３９，４０として、例えば糸ゴムが利用出来る。腰回り開口部３６を形成する腰回り部４１に複数本の糸ゴム３９…が配されており、脚回り開口部３７、３７を形成する脚回り部４２に複数本の糸ゴム４０，４０…が配されている。これらの糸ゴム３９…，４０…が配されていることにより、腰回り部４１及び脚回り部４２，４２で紙おむつ１Ｃが好適に装着者の腰回り及び脚回りに密着することとなり、フィット感を上げることが実現するのみならず、腰回り開口部３６及び脚回り開口部３７、３７からのモレを防ぎ、使用感を向上させることが出来る。
【００９０】
前記トップシート３３は、紙おむつ１Ｃを装着した際に人体に接する面に設けられ、体液を受けて、吸収体３４まで輸送する役割を果たす、透液性のシートである。透液性シートとしては、例えば、有孔または無孔の不織布や、多孔性プラスチックシートなどにより形成されるものが挙げられる。不織布は、繊維を織ったり編んだりすることなく、「繊維どうしを化学的方法、機械的方法または、それらの組み合わせにより、結合や絡み合せを行った構造物」であり、不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、乾式法、湿式法、スパンレース法、スパンボンド法、サーマルボンド法、メルトブローン法、ニードルパンチ法、或いはこれらを組み合わせた方法等によって不織布を製造することができる。
【００９１】
透液性であるトップシート３３に多数の透孔を形成した場合には、尿などの体液がより速やかに吸収されるようになり、ドライタッチ性に優れたものとなる。
【００９２】
吸収体３４は、紙おむつ１Ｃの使用時に体液としての尿等の水様成分を吸収する働きを成すものであり、綿やパルプ等の吸収性素材や、繊維或いはフィルム等のシート状基材と高吸収性ポリマーのような高吸水性樹脂とが組み合わされて形成された吸収体コア（図示略）が、透液性のクレープ紙（図示略）により覆われて構成されている。単層構造であっても良いし、複数層に分かれた構造でも構わない。吸収体３４は、人体の腹側部から両脚の間を通り背側部に亘る位置に装着されている。
【００９３】
以下に、折り返し部３５、腰回り開口部３６及び脚回り開口部３７、３７、接合部３８、３８について併せて説明する。
【００９４】
折り返し部３５は、矩形状のバックシート３２の長手方向中央部を幅方向に沿って吸収体３４が内側になるように折り返すことによって形成されたもので、折り返すことによって、本願発明のおむつ１Ｃは容易に成形することが出来る。
【００９５】
つまり、図１４に示すように、矩形状のバックシート３２の長手方向中央部に、幅方向に沿って二箇所のスリット４３，４３が形成され、当該スリット４３，４３の間にトップシート３３で包装された吸収体３４が載置された上で（図１４(A))、バックシート３２が、吸収体３４が内側に位置する様に、長手方向に折り返されて（図１４(B)）折り返し部３５が形成される。そして、バックシート３２の長手方向両側縁部同士が重ね合わせられ（図１４(C)）、重なったバックシート３２の長手両側縁部同士が、例えばホットメルトやヒートシール、超音波シールなどにより接合される（図１４(D)）ことによって、接合部３８、３８が形成され、同時に、腰回り開口部３６、脚回り開口部３７、３７が形成される。
【００９６】
つまり、例えば股下部、腹側部、背側部といった複数のパーツを集めてそれらをパーツ毎に接合したり、各開口部について個別に形成したりすることなく、折り返し部３５及び二箇所の接合部３８、３８を形成することによって、腰回り開口部３６及び二箇所の脚回り開口部３７、３７が構成されることとなる。つまり、一回折り返して接合部３８、３８を形成することによって、容易にパンツ型の紙おむつとしての形状を成すことが可能になる。
【００９７】
また、脚回り開口部３７、３７を形成するスリット４３，４３は、バックシート３２の長手方向中央部に、その幅方向に沿って、つまり、腰回り開口部３６を形成するバックシート３２の長手方向両側縁部と平行になるよう設けたため、腰回り開口縁部４４及び脚回り開口縁部４５，４５はほぼ平行してなる。さらに、紙おむつ１Ｃは、矩形状のバックシート３２を折り返し形成したので、その長手方向中央部を幅方向に沿って折り返したおむつ１Ｃも、矩形状を成すことは当然であって、従って、腰回り開口部３６の真下に脚回り開口部３７、３７を形成することが可能になる。
【００９８】
おむつ１Ｃがこのような構造をとることによって、装着者がおむつ１Ｃを装着する際に、腰回り開口部３６から脚を入れて、真っ直ぐに脚回り開口部３７、３７に通すことが出来、指をひっかけたりすることがなく、途中で脚の向きを変える必要もないため、履きやすく、また履かせ易い構造となる。
【００９９】
図１３及び図１４に示されるように、かかるおむつ１Ｃに対して本発明では、指先が多少不自由であったり、握力が弱いなどの高齢者であっても、容易に着用が可能なように、前身頃Ｆの両脇部にそれぞれ水平方向に延びるスリット孔２７、２７を形成する。このスリット孔２７、２７は前記バックシート３２を貫通するように形成されるもので、前身頃Ｆに形成することにより、本紙おむつ１Ｃの着用に際して、前記脚回り開口部３７，３７に左右の足を挿通した後、指先を前記スリット孔２７、２７に挿入して引っ掛けた後、そのままおむつ１Ｃを上方に引上げることができる。
【０１００】
なお、本第３形態例では、前身頃Ｆの両側部に夫々スリット孔２７，２７を形成するようにしたが、どちらか一方に形成してもよい。或いは、前記第１形態例における図２の態様と同様に、前身頃Ｆのほぼ中央部に形成するようにしてもよい。
【０１０１】
以上のように、上記第１形態例では、腰回り弾性伸縮部材２５、２５…を有する紙おむつ１Ａを対象とし、上記第２形態例では腰回り弾性伸縮部材２５，２５…と、腹側湾曲弾性伸縮部材２８，２８…を有する紙おむつ１Ｂを対象としたが、本第３形態例のように、これら腰回り弾性伸縮部材２５，２５及び腹側湾曲弾性伸縮部材２８，２８…を有しない紙おむつに対しても適用が可能である。
【０１０２】
〔他の形態例〕
(1)上記形態例では、スリット孔２７の形成位置として、前身頃Ｆの上部側に形成するようにしたが、図１５(A)に示されるように、前身頃Ｆの高さ方向中間位置であって、吸収性本体１０の上縁近傍の脇部に形成するようにしても良いし、図１５(B)に示されるように、前身頃Ｆの高さ方向中間位置であって、吸収性本体１０中間の脇部に形成するようにしてもよい。
(2)上記スリット孔２７の形状としては、線状又は図１６(A)に示される矩形状以外に、種々の形状パターンとすることができる。例えば、図１６(B)に示されるように指を挿入し易いように上下辺を外側に膨出させた形状、図１６(C)に示されるように、下辺のみを下側に膨出させた形状、図１６(D)に示されるように、広幅部と狭幅部とを連ねた２連の数珠形状、図１６(E)に示されるように、広幅部と狭幅部とを連ねた３連の数珠形状、図１６(F)に示されるように、指穴を連ねたものなど種々の形状パターンとすることができる。
【図面の簡単な説明】
【０１０３】
【図１】本第１形態例に係るパンツ型使い捨ておむつ１Ａの製品状態を示す斜視図である。
【図２】その一部破断展開図である。
【図３】スリット孔２７の他の形成態様を示す図（その１）である。
【図４】スリット孔２７の他の形成態様を示す図（その２）である。
【図５】本第２形態例に係るパンツ型使い捨て紙おむつ１の製品状態外観図である。
【図６】その展開状態での組み立て図である。
【図７】吸収性本体１０の平面図である。
【図８】(A)は吸収性本体１０の展開状態での半横断面図、(B)はその製品状態を示す図である。
【図９】外装シート２０の展開図である。
【図１０】外装２０の変形例を示す展開図である。
【図１１】第２形態例に係るおむつ１Ｂの着用状態を示す説明図である。
【図１２】従来のおむつの着用状態を示す説明図である。
【図１３】第３形態例に係るおむつ１Ｃの製品状態斜視図である。
【図１４】おむつ１Ｃの構成を説明するための説明図である。
【図１５】スリット孔２７の形成位置の変形例を示す図である。
【図１６】スリット孔２７の形状例を示す図である。
【図１７】従来のパンツ型使い捨ておむつの展開図である。
【図１８】その製品状態を示す斜視図である。
【符号の説明】
【０１０４】
１…紙おむつ、１０…吸収性本体、１１…透液性表面シート、１２…防漏シート、１３…吸収体、１４…クレープ紙、１５…ギャザー不織布、１６…糸状弾性伸縮部材、２０…外装シート、２１・２２…脇部接合縁、２４…ウエスト部弾性伸縮部材、２５…腰回り弾性伸縮部材、２６…背側湾曲弾性伸縮部材、２７…スリット孔、２８…腹側湾曲弾性伸縮部材、２９…脚回りカットライン、Ｆ…前身頃、Ｂ…後身頃
【図１】
2006204697.tif 000003
【図２】
2006204697.tif 000004
【図３】
2006204697.tif 000005
【図４】
2006204697.tif 000006
【図５】
2006204697.tif 000007
【図６】
2006204697.tif 000008
【図７】
2006204697.tif 000009
【図８】
2006204697.tif 000010
【図９】
2006204697.tif 000011
【図１０】
2006204697.tif 000012
【図１１】
2006204697.tif 000013
【図１２】
2006204697.tif 000014
【図１３】
2006204697.tif 000015
【図１４】
2006204697.tif 000016
【図１５】
2006204697.tif 000017
【図１６】
2006204697.tif 000018
【図１７】
2006204697.tif 000019
【図１８】
2006204697.tif 000020